(57)【要約】      （修正有）【課題】網目状のフィルタ部材に付着した付着物を吸気ファンの回転と共にブラシ部材で払拭可能とすることにより、吸気効率を維持しつつ衛生面の向上を図ることができる換気装置を提供する。【解決手段】屋内外に貫通する換気口２１を屋外側から覆うように建物の縦壁面２２に取り付けて下向きの上流端に空気の吸気口３５を設けたフード本体３と、フード本体３の内部であって吸気口３５から換気口２１に至る吸気経路３４の中途部に吸気口３５と対向するように配置した網目状のフィルタ部材４と、フィルタ部材４よりも吸気経路３４の上流側であって鉛直方向に延びる回転軸５４を回転中心として回転する吸気ファン５と、回転軸５４に設けられてフィルタ部材４の底面と接触するブラシ部材６と、を備える。【選択図】図１
2017044367.tif 000002
【特許請求の範囲】
【請求項１】
屋内外に貫通する換気口を屋外側から覆うように建物の縦壁面に取り付けて下向きの上流端に空気の吸気口を設けたフード本体と、
前記フード本体の内部であって前記吸気口から前記換気口に至る吸気経路の中途部に前記吸気口と対向するように配置した網目状のフィルタ部材と、
前記フィルタ部材よりも前記吸気経路の上流側であって鉛直方向に延びる回転軸を回転中心として回転する吸気ファンと、
前記回転軸に設けられて前記フィルタ部材の底面と接触するブラシ部材と、
を備える換気装置。
【請求項２】
前記ブラシ部材は、
前記回転軸に固定した棒状又は板状の柄と、
前記柄に稙設した植毛と、
を備えることを特徴とする請求項１に記載の換気装置。
【請求項３】
前記柄は、
前記吸気ファンを構成する複数のプロペラの間に位置している、
ことを特徴とする請求項２に記載の換気装置。
【請求項４】
前記ブラシ部材は、
前記吸気ファンを構成する複数のプロペラに取り付けた、
ことを特徴とする請求項１に記載の換気装置。
【請求項５】
前記複数のプロペラは、
前記吸気ファンの回転方向に沿って均等間隔で間をあけて複数設けられ、
前記ブラシ部材は、
前記複数のプロペラの径方向に延びる縁部のうち、前記吸気ファンの回転方向下流側の縁部に沿って配置した、
ことを特徴とする請求項４に記載の換気装置。
【請求項６】
前記ブラシ部材は、
前記複数のプロペラの径方向に延びる縁部の一部に沿って配置するとともに、前記複数のプロペラの全体の前記ブラシ部材で径方向の全長を補っている、
ことを特徴とする請求項４又は請求項５に記載の換気装置。
【請求項７】
前記ブラシ部材は、前記フィルタ部材に付着した付着物を払拭しつつ捕集するように帯電性を有する、
ことを特徴とする請求項１から請求項６のいずれか１の請求項に記載の換気装置。
【請求項８】
前記フィルタ部材の上面側に、前記フィルタ部材の前記網目を通過した異物を除去する異物除去フィルタを配置した、
ことを特徴とする請求項１から請求項７のいずれか１の請求項に記載の換気装置。
【請求項９】
前記吸気ファンは、
屋内外の気圧差によって外気を屋内側に取り入れるように回転する、
ことを特徴とする請求項１から請求項８のいずれか１の請求項に記載の換気装置。
【発明の詳細な説明】
【技術分野】
【０００１】
本発明は、屋外側の空気を屋内側に吸気するための換気装置に関する。
【背景技術】
【０００２】
従来から、屋外側の空気を屋内側に吸気する換気装置が知られている（例えば、特許文献１〜特許文献４参照）。
【０００３】
例えば、特許文献１に開示の換気装置には、屋内の淀んだ空気を外部の新鮮な空気と入れ替えるものであって、外壁に設けた換気口から雨や雪などが入り込まないように屋外フードを取り付ける技術が開示されている。
【０００４】
特許文献２及び特許文献３に開示の換気装置には、屋外フードに加え、防塵フィルタや金網、或はシャッタ等を設けて雨や雪などが入り込まないようにした技術が開示されている。
【０００５】
特許文献４に開示の換気装置には、外気に含まれる雑菌等が屋内空間に入り込まないようにする技術が開示されている。
【先行技術文献】
【特許文献】
【０００６】
【特許文献１】特開２０１３−２０００４７号公報
【特許文献２】特開２０１３−１３４０１８号公報
【特許文献３】特開平０９−１８４６４７号公報
【特許文献４】特開２０１２−０３７１０５号公報
【発明の概要】
【発明が解決しようとする課題】
【０００７】
しかしながらに、上述した換気装置にあっては、いずれも屋内側の空気を屋外に排出する排気用の換気装置に、屋外側の空気を屋内へと吸入する吸気用の換気機能を補助的に付与するものであって、吸気用の換気装置に特化した構成ではなかった。
【０００８】
このため、例えば、雨や雪等の入り込みに関する対策は施しているものの、吸気効率の維持や衛生面における対策は不十分であった。
【０００９】
本発明は、上述のような課題を解決するために、吸気効率を維持しつつ衛生面の向上を図ることができる換気装置を提供することを目的とする。
【課題を解決するための手段】
【００１０】
本発明に係る換気装置は、上記目的を達成のため、屋内外に貫通する換気口を屋外側から覆うように建物の縦壁面に取り付けて下向きの上流端に空気の吸気口を設けたフード本体と、フード本体の内部であって吸気口から換気口に至る吸気経路の中途部に吸気口と対向するように配置した網目状のフィルタ部材と、フィルタ部材よりも吸気経路の上流側であって鉛直方向に延びる回転軸を回転中心として回転する吸気ファンと、回転軸に設けられてフィルタ部材の底面と接触するブラシ部材と、を備えるものである。
【００１１】
ブラシ部材は、回転軸に固定した棒状又は板状の柄と、柄に稙設した植毛と、を備えるものである。
【００１２】
柄は、吸気ファンを構成する複数のプロペラの間に位置している、ものである。
【００１３】
ブラシ部材は、吸気ファンを構成する複数のプロペラに取り付けられている、ものである。
【００１４】
複数のプロペラは、吸気ファンの回転方向に沿って均等間隔で間をあけて複数設けられ、ブラシ部材は、複数のプロペラの径方向に延びる縁部のうち、吸気ファンの回転方向下流側の縁部に沿って配置した、ものである。
【００１５】
ブラシ部材は、複数のプロペラの径方向に延びる縁部の一部に沿って配置するとともに、複数のプロペラの全体のブラシ部材で径方向の全長を補っている、ものである。
【００１６】
ブラシ部材は、フィルタ部材に付着した付着物を払拭しつつ捕集するように帯電性を有する、ものである。
【００１７】
フィルタ部材の上面側に、フィルタ部材の網目を通過した異物を除去する異物除去フィルタを配置した、ものである。
【００１８】
吸気ファンは、屋内外の気圧差によって外気を屋内側に取り入れるように回転する、ものである。
【発明の効果】
【００１９】
本発明によれば、網目状のフィルタ部材に付着した付着物を吸気ファンの回転と共にブラシ部材で払拭可能とすることにより、吸気効率を維持しつつ衛生面の向上を図ることができる。
【図面の簡単な説明】
【００２０】
【図１】本発明の一実施の形態に係る換気装置の断面図である。
【図２】本発明の一実施の形態に係る換気装置の腰部の平面図である。
【図３】本発明の一実施の形態に係る他の換気装置の断面図である。
【図４】本発明の一実施の形態に係る他の換気装置の平面図である。
【発明を実施するための形態】
【００２１】
次に、本発明に係る一実施の形態について図面を参照して説明する。
【００２２】
本実施の形態として示す換気装置は、建物の外壁面（縦壁面）に設置して屋外の空気を屋内に取り入れるようにした換気装置に適用したものである。
【００２３】
図１に示すように、換気装置１は、建物の外壁２を屋内外で貫通する換気口２１を外壁面（縦壁面）２２から覆うフード本体３と、フード本体３の内部に配置した網目状のフィルタ部材４と、フィルタ部材４よりも吸気経路の上流側に配置した吸気ファン５と、フィルタ部材４の底面と接触するブラシ部材６と、フィルタ部材４の上面側に配置した異物除去フィルタ７と、を備える。
【００２４】
フード本体３は、例えば、換気口２１の外壁面２２と直行する水平方向に突出する導入部３１と、導入部３１の上側を下向きに傾斜（平面状又は曲面状の何れでもよい）させたガイド部３２と、導入部３１の下側及びガイド部３２の下端から鉛直方向に突出する吸入部３３と、を備える。なお、図１の紙面と直交する側面は、上記形状に沿って全体を覆っている。これにより、換気口２１の開口縁部がフード本体３によって取り巻くように覆われている。吸気口３５は、下向きに開口することにより矢印で示す吸気経路３４の上流端となる空気の吸気口３５を形成している。
【００２５】
フィルタ部材４は、金属製の金網等が用いられ、吸気口３５から換気口２１に至る吸気経路３４の中途部に吸気口３５と対向するように配置している。フィルタ部材４の網目は、例えば、ＪＩＳ規格で１６メッシュ以下のものを用いるのが好ましい。すなわち、本実施の形態に係る換気装置１は、屋外の空気を屋内へと吸気するものである。このため、フィルタ部材４には、虫等が屋内に入り込んだり吸い込んだりしてしまわない程度の小さい網目のものを用いている。なお、フィルタ部材４の材質は、強度及び耐久性の観点から金属製としているが、樹脂製等を用いてもよい。フィルタ部材４は、例えば、その周囲が吸入部３３の内壁面に固定又は支持される。
【００２６】
吸気ファン５は、吸気口３５に寄った吸入部３３の対向する壁面に両端を固定したホルダ５１と、ボルト（又はナット）５２を介してホルダ５１に固定したベアリング部材５３と、ベアリング部材５３に下端を回転可能に支持させた回転軸５４と、回転軸５４の下端寄りに固定したファン本体５５と、回転軸５４の上端に固定したブラシホルダ５６と、を備えている。吸気ファン５は、フィルタ部材４よりも吸気経路３４の上流側であって鉛直方向に延びる回転軸５４を回転中心として回転する。
【００２７】
ホルダ５１は、アルミ等の金属製のシャフト部材であり、吸気口３５の開口面積をできるだけ阻害しない幅（紙面奥行き方向）のものを用いている。ホルダ５１は、長手方向の両端を図示しないボルト（又は溶接等）により、吸入部３３の対向する壁面に固定している。ホルダ５１は、その材質や厚さ（図示高さ方向）によって強度を確保している。
【００２８】
ベアリング部材５３は、回転軸５４をラジアル方向に回転可能に支持している。なお、ベアリング部材５３は、回転軸５４を回転可能に支持することができれば、ベアリングに限定されるものではない。また、ベアリング部材５３は、ホルダ５１に回転軸５４と一体に回転するように嵌め込み可能とすれば、回転軸５４のスラスト方向（下方）への単なるストッパとしてホルダ５１に支持される。これにより、ボルト５２を不要とすることができるとともに、ベアリング部材５３を回転軸５４と一体に構成することができる。この際、ベアリング部材５３は、単なるフランジ等でもよい。
【００２９】
ファン本体５５は、回転軸５４に固定したベース５７と、ベース５７と一体の複数のプロペラ５８と、を備えている。
【００３０】
プロペラ５８は、外気を吸気口３５からフード本体３に取り入れるように形状及び向きを設定している。なお、プロペラ５８の大きさや枚数は、例えば、換気口２１の大きさや屋内側の空間（キッチン空間）、同一屋内空間内に設置した排気用の換気扇の排気パワーなどに応じて任意に設定される。本実施の形態においては、図２に示すように、同一形状及び大きさのものを４枚、ベース５７に設けている。
【００３１】
ブラシ部材６は、直線上（棒状又は板状）の柄６１と、柄６１に稙設した植毛６２と、を備えている。図２に示すように、柄６１は、複数のプロペラ５８の間に位置させることにより、払拭した塵埃等の払拭物を複数のプロペラ５８の間から落下させることができ、プロペラ５８の上面に堆積してしまうのを抑制することができる。なお、植毛６２は、フィルタ部材４に付着した付着物を払拭しつつ捕集するように帯電性を有する材質のものを用いるのが好ましい。なお、この帯電性は電気的な処理でもよい。
【００３２】
異物除去フィルタ７は、フィルタ部材４の網目を通過した細かい塵埃等を除去するもので、空気の通過を許容する材質のものを用いている。なお、異物除去フィルタ７には、例えば、ウレタンスポンジ等を用いてもよいが、高い清浄度を保つ超高性能フィルタ（へパフィルタ）を用い、殺菌効果を付与してもよい。
【００３３】
このような基本構成において、本実施の形態に係る換気装置１は、屋内外に貫通する換気口２１を屋外側から覆うように建物の外壁面２２に取り付けて下向きの上流端に空気の吸気口３５を設けたフード本体３と、フード本体３の内部であって吸気口３５から換気口２１に至る吸気経路３４の中途部に吸気口３５と対向するように配置した網目状のフィルタ部材４と、フィルタ部材４よりも吸気経路３４の上流側であって鉛直方向に延びる回転軸５４を回転中心として回転する吸気ファン５と、回転軸５４に設けられてフィルタ部材４の底面と接触するブラシ部材６と、を備えることにより、吸気効率を維持しつつ衛生面の向上を図ることにある。
【００３４】
具体的には、本実施の形態に係る換気装置１とは別の屋内から屋外への排気を行うための換気扇を駆動すると、外壁２を境とする屋内側と屋外側とで気圧差が発生する。基本的には、屋内側の気圧が屋外側よりも低くなる。
【００３５】
一方、換気装置１は、外壁２に設けた換気口２１により屋内外で空気の流通が可能となっているため、屋内外の気圧の差によって吸気口３５からフード本体３の内部に空気が流入する。
【００３６】
これにより、吸気ファン５が回転するとともに回転軸５４を介してブラシ部材６が回転する。このブラシ部材６の植毛６２は、フィルタ部材４の底面と接触していることから、外気を取り入れる際のブラシ部材６の回転によりフィルタ部材４で捕集した塵埃等の捕集物を払拭することができ、吸気効率を維持しつつ衛生面の向上を図ることができる。
【００３７】
この際、フィルタ部材４の上面側にフィルタ部材４の網目を通過した異物を除去する異物除去フィルタ７を配置したことにより、より一層衛生面の向上を図ることができる。
【００３８】
ところで、上記実施の形態では、ブラシ部材６を回転軸５４に装着したものとして説明したが、吸気ファン５の回転と連動してフィルタ部材４の底面を払拭することができれば、上記に限定されるものではない。
【００３９】
図３及び図４は、吸気ファン８にブラシ部材９を取り付けた例を示す。以下、吸気ファン８及びブラシ部材９を除く構成は、上述した図１〜図２に基づいて説明した換気装置１の構成と同一であるので、換気装置１の構成と同一の構成については、同一の符号を付してその詳細な説明は省略し、特有の構成についてのみを説明する。
【００４０】
本実施の形態に係る換気装置１は、建物の外壁２を屋内外で貫通する換気口２１を外壁面（縦壁面）２２から覆うフード本体３と、フード本体３の内部に配置した網目状のフィルタ部材４と、フィルタ部材４よりも吸気経路の上流側に配置した吸気ファン８と、フィルタ部材４の底面と接触するブラシ部材９と、フィルタ部材４の上面側に配置した異物除去フィルタ７と、を備える。
【００４１】
図３に示すように、吸気ファン８は、吸気口３５に寄った吸入部３３の対向する壁面に両端を固定したホルダ８１と、ボルト（又はナット）８２を介してホルダ８１に固定したベアリング部材８３と、ベアリング部材８３に下端を回転可能に支持させた回転軸８４と、回転軸８４の下端寄りに固定したファン本体８５と、を備えている。吸気ファン８は、フィルタ部材４よりも吸気経路３４の上流側であって鉛直方向に延びる回転軸８４を回転中心として回転する。
【００４２】
ホルダ８１は、アルミ等の金属製のシャフト部材であり、吸気口３５の開口面積をできるだけ阻害しない幅（紙面奥行き方向）のものを用いている。ホルダ８１は、長手方向の両端を図示しないボルト（又は溶接等）により、吸入部３３の対向する壁面に固定している。ホルダ８１は、その材質や厚さ（図示高さ方向）によって強度を確保している。
【００４３】
ベアリング部材８３は、回転軸８４をラジアル方向に回転可能に支持している。なお、ベアリング部材８３は、回転軸８４を回転可能に支持することができれば、ベアリングに限定されるものではない。また、ベアリング部材８３は、ホルダ８１に回転軸８４と一体に回転するように嵌め込み可能とすれば、回転軸８４のスラスト方向（下方）への単なるストッパとしてホルダ８１に支持される。これにより、ボルト８２を不要とすることができるとともに、ベアリング部材８３を回転軸８４と一体に構成することができる。この際、ベアリング部材８３は、単なるフランジ等でもよい。
【００４４】
ファン本体８５は、回転軸８４の上端に固定したシャフト状のベース８６と、ベース８６の両端と一体の複数のプロペラ８７と、を備えている。
【００４５】
プロペラ８７は、外気を吸気口３５からフード本体３に取り入れるように形状及び向きを設定している。図４に示すように、プロペラ８７は、本実施の形態では、吸気ファン８の回転方向に沿って均等間隔で間をあけて複数設けられており、本実施の形態では回転軸８４を中心として互いに離反する方向に直線上に延びるように一対設けている。なお、プロペラ８７の大きさや枚数は、例えば、換気口２１の大きさや屋内側の空間（キッチン空間）、同一屋内空間内に設置した排気用の換気扇の排気パワーなどに応じて任意に設定される。本実施の形態においては、同一形状及び大きさのものを２枚、ベース８６に設けている。
【００４６】
ブラシ部材９は、吸気ファン８を構成する一対のプロペラ８７に取り付けられている。本実施の形態では、ブラシ部材９は、一対のプロペラ８７の径方向に直線上に延びる縁部のうち、吸気ファン８の回転方向下流側の縁部に沿って配置している。ブラシ部材９は、直線上（棒状又は板状）の柄９１と、柄９１に稙設した植毛９２と、を備えている。図４に示すように、ブラシ部材９は、一対のプロペラ８７の径方向に直線上に延びる縁部のうち、吸気ファン８の回転方向下流側の縁部に沿って配置することにより、払拭した塵埃等の払拭物を複数のプロペラ８７の間から落下させることができ、プロペラ８７の上面に堆積してしまうのを抑制することができる。なお、植毛９２は、フィルタ部材４に付着した付着物を払拭しつつ捕集するように帯電性を有する材質のものを用いるのが好ましい。なお、この帯電性は電気的な処理でもよい。
【００４７】
さらに、ブラシ部材９は、複数のプロペラ８７の径方向に延びる縁部の一部に沿って配置している。この際、図４に示すように、一対のプロペラ８７の径方向の長さに対してブラシ部材９の全体で全長を補っている。すなわち、ブラシ部材９は、一対のプロペラ８７の回転軌跡に対して、内側の所定径範囲を払拭するブラシ部材９と、外側の所定径範囲を払拭するブラシ部材９とで２分割している。なお、プロペラ８７の枚数と分割数とは同じである必要はない。
【００４８】
このような構成としても、上記実施の形態と同様に、吸気ファン８が回転するとともに回転軸８４を介してブラシ部材９が回転する。このブラシ部材９の植毛９２は、フィルタ部材４の底面と接触していることから、外気を取り入れる際のブラシ部材９の回転によりフィルタ部材４で捕集した塵埃等の捕集物を払拭することができ、吸気効率を維持しつつ衛生面の向上を図ることができる。
【００４９】
以上説明したように、本発明に係る換気装置は、網目状のフィルタ部材に付着した付着物を吸気ファンの回転と共にブラシ部材で払拭可能とすることにより、吸気効率を維持しつつ衛生面の向上を図ることができるという効果を有し、屋外側の空気を屋内側に吸気するための換気装置全般に有用である。
【符号の説明】
【００５０】
１  換気装置
２  外壁
２１  換気口
２２  外壁面（縦壁面）
３  フード本体
３４  吸気経路
３５  吸気口
４  フィルタ部材
５  吸気ファン５
５４  回転軸
６  ブラシ部材
７  異物除去フィルタ
【図１】
2017044367.tif 000003
【図２】
2017044367.tif 000004
【図３】
2017044367.tif 000005
【図４】
2017044367.tif 000006